(57)【要約】【課題】  動画用の画像データの記録容量を節減することができる撮像装置を提供する。【解決手段】  被写体光を撮像する撮像素子３から出力される撮像信号に基づき、所定の時間間隔で複数フレームの画像データを生成する画像データ生成部５と、画像データ生成部により生成された複数フレームの画像データのそれぞれについて、所定以上のコントラストを有する主被写体領域の画像情報を抽出する抽出部７と、画像データ生成部により生成された複数フレームの画像データに基づいて、背景画像を生成する背景画像生成部７と、抽出部により抽出された複数フレームの画像データのそれぞれについての主被写体領域の画像情報に複数フレームの画像データのそれぞれが生成された時間情報を付加した擬似動画情報と、背景画像生成部により生成された背景画像を記憶する記憶部１２と、記憶部に記憶されている擬似動画情報と背景画像を用いて擬似動画の表示を行う擬似動画表示制御部７とを備える。【選択図】  図１
2010081131.tif 000002
【特許請求の範囲】
【請求項１】
被写体光を撮像する撮像素子と、
前記撮像素子から出力される撮像信号に基づき、所定の時間間隔で複数フレームの画像データを生成する画像データ生成部と、
前記画像データ生成部により生成された前記複数フレームの画像データのそれぞれについて、所定以上のコントラストを有する主被写体領域の画像情報を抽出する抽出部と、
前記画像データ生成部により生成された前記複数フレームの画像データに基づいて、背景画像を生成する背景画像生成部と、
前記抽出部により抽出された前記複数フレームの画像データのそれぞれについての前記主被写体領域の画像情報に前記複数フレームの画像データのそれぞれが生成された時間情報を付加した擬似動画情報と、前記背景画像生成部により生成された前記背景画像を記憶する記憶部と、
前記記憶部に記憶されている前記擬似動画情報と前記背景画像を用いて擬似動画の表示を行う擬似動画表示制御部と
を備えることを特徴とする撮像装置。
【請求項２】
前記主被写体領域の画像情報は、該領域を構成する各画素の位置情報と色情報を含むことを特徴とする請求項１記載の撮像装置。
【請求項３】
前記擬似動画表示制御部は、前記背景画像上に、前記複数フレームの画像データのそれぞれについての前記主被写体領域の画像情報に基づく主被写体の画像を前記時間情報に基づき順次表示することを特徴とする請求項１または２記載の撮像装置。
【請求項４】
前記複数フレームの画像データのそれぞれを比較する比較部を有し、
前記比較部により、前記複数フレームの画像データの中の１のフレームの画像データの前記主被写体領域が１つ前に生成されたフレームの画像データの前記主被写体領域と所定以上重畳していると判断した場合には、前記１のフレームに関する前記擬似動画情報を生成しないことを特徴とする請求項１〜３の何れか一項に記載の撮像装置。
【請求項５】
前記比較部により、前記複数フレームの画像データの中の１のフレームの画像データの所定領域のコントラストが１つ前に生成されたフレームの画像データの前記所定領域に対応する領域のコントラストに対して所定以上異なる場合には、前記１のフレームに関する前記擬似動画情報を生成しないことを特徴とする請求項４記載の撮像装置。
【請求項６】
前記所定領域は、前記１のフレームの画像データの全領域であることを特徴とする請求項５記載の撮像装置。
【請求項７】
自装置の動きを検出する検出部を備え、
前記検出部により、所定以上の動きを検出した場合には、前記擬似動画情報を生成しないことを特徴とする請求項１〜６の何れか一項に記載の撮像装置。
【発明の詳細な説明】
【技術分野】
【０００１】
本発明は、撮像装置に関するものである。
【背景技術】
【０００２】
従来から、所定時間間隔で連続撮影された静止画像をディスプレイ等に連続表示させることにより、動画を再生する撮像装置が知られている。例えば、連続撮影された静止画像のうち、１フレーム前の静止画像より所定値以上の差異を有している静止画像の静止画像データのみを記録し、記録された複数の静止画像データに基づく静止画像を撮像時の時間間隔でディスプレイ等に連続表示させることにより動画を再生する撮像装置が提案されている（例えば、特許文献１参照）。
【特許文献１】特開２００１−３２０６２３号公報
【発明の開示】
【発明が解決しようとする課題】
【０００３】
ところで、特許文献１記載の撮像装置では、差異の大きい静止画像データのみを記録しているが、実際には動きのある被写体を写しているため、結果としてメモリ等の記録媒体に多数の静止画像データが記録されることとなり、大記録容量の記録媒体が必要であった。
【０００４】
本発明の目的は、動画用の画像データの記録容量を節減することができる撮像装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の撮像装置（１）は、被写体光を撮像する撮像素子（３）と、前記撮像素子（３）から出力される撮像信号に基づき、所定の時間間隔で複数フレームの画像データを生成する画像データ生成部（５）と、前記画像データ生成部（５）により生成された前記複数フレームの画像データのそれぞれについて、所定以上のコントラストを有する主被写体領域の画像情報を抽出する抽出部（７）と、前記画像データ生成部（５）により生成された前記複数フレームの画像データに基づいて、背景画像を生成する背景画像生成部（７）と、前記抽出部（７）により抽出された前記複数フレームの画像データのそれぞれについての前記主被写体領域の画像情報に前記複数フレームの画像データのそれぞれが生成された時間情報を付加した擬似動画情報と、前記背景画像生成部により生成された前記背景画像を記憶する記憶部（１２）と、前記記憶部（１２）に記憶されている前記擬似動画情報と前記背景画像を用いて擬似動画の表示を行う擬似動画表示制御部（７）とを備えることを特徴とする。
【発明の効果】
【０００７】
本発明の撮像装置によれば、動画用の画像データの記録容量を節減することができる。
【発明を実施するための最良の形態】
【０００８】
以下、図面を参照して、本発明の実施の形態に係る撮像装置について説明する。図１は、実施の形態に係る撮像装置１のシステム構成を示すブロック図である。図１に示すように、撮像装置１は、撮像レンズ２、撮像素子３、Ａ／Ｄ変換部４、画像処理部５、バッファメモリ６、制御部７、表示部８、操作部１０、コントラスト検出部１１、記録媒体１２、バス１３を備えている。
【０００９】
撮像素子３は、ＣＣＤまたはＣＭＯＳ等により構成され、撮影レンズ２を透過した被写体光を撮像して撮像信号をＡ／Ｄ変換部４に対して出力する。撮像素子６から出力された撮像信号は、Ａ／Ｄ変換部４においてアナログ信号からデジタル信号に変換され、画像処理部５に対して出力される。
【００１０】
画像処理部５は、Ａ／Ｄ変換部４から出力されるデジタル信号の画像データに対して各種の画像処理（ホワイトバランス調正、色補正、階調補正等）を行う。画像処理部５により画像処理された画像データは、後述する撮影モードの種別、撮影日時、露出等の撮影に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で、バッファメモリ６に一時的に記憶される。
【００１１】
制御部７は、マイクロプロセッサ等により構成され、撮像装置１の各部を統括的に制御する。表示部８は、スルー画像、記録媒体１２に記録されている静止画像、後述する擬似動画、及び撮影に関する情報やメニュー（選択項目）等を表示する。
【００１２】
操作部１０は、電源をオン／オフする電源スイッチ、撮影等を指示するためのレリーズボタン、表示部８にメニュー等を表示させるためのメニューボタン、後述する撮影モード及び再生モードを選択するためのモードボタン、メニュー項目の選択等を行うための十字キー、決定ボタン（ＯＫボタン）等を含んで構成されている。
【００１３】
コントラスト検出部１１は、Ａ／Ｄ変化部４から出力される画像データに基づいて画像データのコントラスト値を検出し、検出結果を制御部７に対して出力する。制御部７は、コントラスト検出部１１の検出結果に基づいて、コントラスト検出式のオートフォーカスを行う。具体的には、図示しないレンズ駆動部を介して撮影レンズ２を光軸方向に移動させることにより焦点位置を調節する。
【００１４】
記録媒体１２は、撮像装置１に設けられたカードスロット（図示せず）に着脱可能に装着される可搬性を有する記録媒体であり、例えば、ＣＦカード、ＳＤカード、スマートメディア等が用いられる。記録媒体１２には、制御部７によりバッファメモリ６から読み込まれた画像データ及び画像データに付加されている撮影に関する情報等が記録される。バス１３は、制御部７から出力される制御信号を撮像装置１の各部に送信するための送信路である。バス１３には、Ａ／Ｄ変換回路４、画像処理部５、バッファメモリ６、表示部８、コントラスト検出部１１、記録媒体１２が接続されている。
【００１５】
次に、図２に示すフローチャートを用いて、実施の形態に係る撮像装置１の擬似動画撮影時の処理について説明する。なお、擬似動画とは、複数フレームの画像を連続表示させる通常の動画と異なり、背景画像及び複数フレームそれぞれの主被写体領域の画像データを生成し、生成した背景画像上に各フレームの主被写体領域に基づく主被写体画像を時系列に連続表示させるものである。また、撮像装置１は、静止画像撮影モードと擬似動画撮影モードを有している。静止画像撮影モードとは、１フレームで構成される静止画像の撮影を行うモードであり、擬似動画撮影モードとは、背景画像及び各フレームの主被写体画像により構成される擬似動画用の画像データを生成するモードである。背景画像、主被写体領域及び主被写体画像については後述する。
【００１６】
まず、制御部７は、ユーザーにより撮像装置１の電源スイッチがオンされ（ステップＳ１０）、モードボタンにより擬似動画撮影モードが選択されたことを認識すると（ステップＳ１１）、ユーザーによりレリーズボタンが半押しされたか否かの判別を行う（ステップＳ１２）。制御部７は、レリーズボタンが半押しされたとき（ステップＳ１２：Ｙｅｓ）、その時点におけるフレーム（スルー画像）の画像データに基づいて、擬似動画情報を生成し、生成した擬似動画情報を記録媒体１２に記録させる（ステップＳ１４）。
【００１７】
図３は、レリーズボタンが半押しされた時点におけるフレーム、即ち最初のフレームの擬似動画情報を生成し、記録する処理について説明するためのフローチャートである。撮像素子３から出力された最初のフレームの撮像信号は、Ａ／Ｄ変換部４においてＡ／Ｄ変換され、画像データとしてコントラスト検出部１１及び画像処理部５に対して出力される。コントラスト検出部１１においては、最初のフレームの画像データに基づいてコントラスト値の検出を行う。例えば、図４に示すように、フレーム２０の横方向をＸ軸、縦方向をＹ軸とし、フレーム２０内に山や自動車が映っている画像２１を構成する各画素のコントラスト値を検出し、そのＸＹ座標及びコントラスト値をバッファメモリ６に一時的に記憶させる（ステップＳ２０）。また、画像処理部５により画像処理された最初のフレームの画像データをバッファメモリ６に一時的に記憶させる（ステップＳ２１）。
【００１８】
制御部７は、最初のフレームの画像（図４に示すフレーム２０の画像２１）の画像データについてのコントラスト値をバッファメモリ６から取得する（ステップＳ２２）。次に、制御部７は、ステップＳ２２において取得したコントラスト値に基づいて最初のフレーム２０の画像２１の中から主被写体領域を抽出する（ステップＳ２３）。即ち、制御部７は、或領域を構成する画素のコントラスト値の平均値が所定値以上であった場合、その或領域を主被写体領域として抽出する。なお、所定値は、予め設定されており、図示しないメモリ等に記憶されている。図４においては、自動車が撮像されている領域２２のコントラスト値が所定値以上であり、領域２２以外の領域のコントラスト値が所定値より小さいため、図５に示すように、領域２２が主被写体領域として抽出される。
【００１９】
次に、制御部７は、バッファメモリ６から最初のフレーム２０の画像データを取得する。制御部７は、取得した最初のフレーム２０の画像データについての主被写体領域２２の画像情報を抽出する。具体的には、主被写体領域２２を構成する画素のフレーム２０に対する位置情報（ＸＹ座標）及びその領域の画素の色情報（Ｒ（Ｒｅｄ）、Ｇ（Ｇｒｅｅｎ）、Ｂ（Ｂｌｕｅ）のデータ）を抽出し、これら画像情報に画像２１が撮像された時間情報及びフレーム番号を付加する。フレーム番号は時系列に振られ、レリーズボタンが半押しされた時点におけるフレームは擬似動画の最初のフレームであるため、そのフレーム番号は１である。そして、これら位置情報、色情報、時間情報及びフレーム番号を擬似動画情報として記録媒体１２に記録させる（ステップＳ２４）。
【００２０】
図２に戻り、制御部７は、ユーザーによりレリーズボタンが全押しされたか否かの判別を行い（ステップＳ１５）、レリーズボタンが全押しされていないと判別された場合（ステップＳ１５：Ｎｏ）、図４に示す画像２１が撮像されてから所定時間が経過したか否かを判別する（ステップＳ１６）。なお、所定時間は、例えば通常の動画撮影時に設定されるフレームレートに基づく１フレームと１つ前のフレームとの時間間隔のことであり、予め設定され図示しないメモリ等に記憶されている。ステップＳ１６において所定時間が経過していないと判別された場合（ステップＳ１６：Ｎｏ）、制御部７は、ステップＳ１５に戻り、ステップＳ１５及びＳ１６の処理を繰り返す。
【００２１】
一方、ステップＳ１６において所定時間が経過したと判別された場合（ステップＳ１６：Ｙｅｓ）、制御部７は、ステップＳ１４に戻り、ステップＳ１５においてレリーズボタンが全押しされたと判別されるまでステップＳ１４〜Ｓ１６の処理を繰り返す。なお、この処理により所定時間経過毎に生成されるフレーム（スルー画像）の画像データ及びその画像データのコントラスト値は、順次バッファメモリ６に記憶される。
【００２２】
図６は、ステップＳ１４において、所定時間経過後のフレームの擬似動画情報を生成し、記録する処理について説明するためのフローチャートである。なお、ステップＳ３０及びＳ３１の処理は、図３に示すステップＳ２２及びＳ２３の処理と同一であるため、説明を省略する。また、図７に示す画像を所定時間経過後のフレーム２３の画像２４とし、自動車が撮像されている領域が図８に示すように主被写体領域２５として抽出されたものとして説明を行う。
【００２３】
まず、制御部７は、ステップＳ３１において抽出された主被写体領域２５と、図７に示すフレーム２３の１つ前のフレーム、即ち所定時間前のフレームにおける主被写体領域とを比較する（ステップＳ３２）。具体的には、主被写体領域２５の位置情報と、所定時間前のフレームにおける主被写体領域の位置情報とを比較し、主被写体領域２５と、所定時間前のフレームにおける主被写体領域とが所定以上重畳しているか否かを判別する（ステップＳ３３）。なお、ステップＳ３３において判別を行うための重畳する領域の閾値は、予め設定されており、図示しないメモリ等に記憶されている。
【００２４】
例えば、図９に示すように、主被写体領域２５が所定時間前のフレームにおける主被写体領域（図中破線で示す領域）２６の多くの領域と重畳している場合（ステップＳ３３：Ｙｅｓ）、制御部７は、図８に示すフレーム２３の擬似動画情報を生成せず、図２のステップＳ１５に進む。一方、例えば、図５及び図８に示す場合のように、主被写体領域２５が所定時間前のフレームにおける主被写体領域２２と重畳していない、または所定以上重畳していない場合（ステップＳ３３：Ｎｏ）、制御部７は、図７に示すフレーム２３の画像データの全領域と、フレーム２３の１つ前のフレーム、即ち所定時間前のフレームの画像データの全領域とを比較する（ステップＳ３４）。即ち、図７に示す画像２４と所定時間前のフレームの画像とを比較する。
【００２５】
そして、画像２４のコントラスト値と所定時間前のフレームの画像のコントラスト値とが所定値以上の差を有していない場合、画像２４と所定時間前のフレームの画像は一部に異なる画像を有しており、フレーム内の特定物（この実施の形態においては自動車）のみが動いていると判断する（ステップＳ３５：Ｎｏ）。一方、画像２４のコントラスト値と所定時間前のフレームの画像のコントラスト値とが所定値以上の差を有している場合、画像２４と所定時間前のフレームの画像は全体的に異なる画像を有しており、撮像装置１が動いていると判断する（ステップＳ３５：Ｙｅｓ）。例えば、図１０に示すフレーム２８の画像２７が所定時間前のフレームの画像であった場合、図７に示すフレーム２３の画像２４と図１０に示すフレーム２８の画像２７とを比較したとき、自動車だけでなく、背景である山の位置も変化している。この場合には、図７に示す画像２４のコントラスト値と図１０に示す画像２７のコントラスト値との差が大きくなり、撮像装置１が動いていると判断する。なお、所定値は、予め設定されており、図示しないメモリ等に記憶されている。
【００２６】
ステップＳ３５において所定値以上の差を有していないと判別された場合、図８に示すフレーム２３の擬似動画情報を生成し、記録媒体１２に記録させる（ステップＳ３６）。ステップＳ３６の処理は、図３に示すステップＳ２４の処理と同一である。このように、  擬似動画撮影が終了するまで、図２のステップＳ１３〜Ｓ１６の処理を繰り返すことにより、複数フレームの擬似動画情報が生成され、記録媒体１２に記録される。
【００２７】
一方、ステップＳ３５において所定値以上の差を有していると判別された場合、制御部７は、撮像装置１が動いていると判断し、擬似動画情報の生成を中止する。即ち、制御部７は、現在行われている擬似動画の撮影を終了し、撮影を終了した擬似動画に関する終了前に記録媒体１２に記録された擬似動画情報を削除する（ステップＳ３７）。
【００２８】
擬似動画の撮影が終了していない場合、図２に戻り、制御部７は、ユーザーによりレリーズボタンが全押しされたか否かの判別を行う（ステップＳ１５）。レリーズボタンの全押しを認識した場合（ステップＳ１５：Ｙｅｓ）、全押しされた時点におけるフレーム、即ち最後のフレームの画像データに基づく擬似動画情報を生成し、記録媒体１２に記録させる（ステップＳ１８）。ステップＳ１８の処理は、図６に示すステップＳ１４の処理と同一である。
【００２９】
次に、制御部７は、背景画像を生成し、生成した背景画像を記録媒体１２に記録させる（ステップＳ１９）。図１１は、背景画像を生成し、記録する処理について説明するためのフローチャートである。
【００３０】
まず、制御部７は、最後のフレームの画像データをバッファメモリ６から取得する（ステップＳ４０）。ここで、図１２に示す画像を最後のフレーム３０の画像３１とし、自動車が撮像されている領域が主被写体領域３２として抽出されたものとして説明を行う。
【００３１】
次に、制御部７は、最後のフレーム３０より前のフレームの画像データをバッファメモリ６から取得する（ステップＳ４１）。ステップＳ４１において取得する画像データは、最初のフレーム２０（図４参照）から最後のフレーム３０の１つ前のフレームまでの何れかのフレームの画像データであり、制御部７は、これらフレームの中の１フレームの画像データを取得する。なお、この実施の形態では、ステップＳ４１において、図７に示すフレーム２３の画像２４に基づく画像データを取得したものとして説明を行う。
【００３２】
次に、制御部７は、ステップＳ４１において取得したフレーム２３の画像データから、図１２に示す最後のフレーム３０の主被写体領域３２に対応する領域の画像データを抽出する（ステップＳ４２）。最後のフレーム３０の主被写体領域に対応する領域は、図７の破線で示す領域３３であり、制御部７は、領域３３の画像データ、具体的には領域３３を構成する画素の位置情報（ＸＹ座標）、及び色情報（Ｒ（Ｒｅｄ）、Ｇ（Ｇｒｅｅｎ）、Ｂ（Ｂｌｕｅ）のデータ）を抽出する。
【００３３】
次に、制御部７は、図１２に示す最後のフレーム３０の主被写体領域３２の画像データを、ステップＳ４２において抽出した領域３３（図７参照）の画像データに置き換える（ステップＳ４３）。即ち、図１２に示す主被写体領域３２を構成する画素の色情報（Ｒ（Ｒｅｄ）、Ｇ（Ｇｒｅｅｎ）、Ｂ（Ｂｌｕｅ）のデータ）を、図７に示す領域３３を構成する画素の色情報（Ｒ（Ｒｅｄ）、Ｇ（Ｇｒｅｅｎ）、Ｂ（Ｂｌｕｅ）のデータ）に置き換える。図１３は、ステップＳ４３において図１２に示す主被写体領域３２の画像データを図７に示す領域３３の画像データに置き換え、置き換えた後の最後のフレーム３０の画像データに基づく画像３５を示す図である。次に、制御部７は、図１３に示す画像３５を背景画像として記録媒体１２に記録させる（ステップＳ４４）。
【００３４】
次に、図１４に示すフローチャートを用いて、実施の形態に係る撮像装置１の擬似動画再生時の処理について説明する。なお、撮像装置１は、静止画像再生モードと擬似動画再生モードを有している。静止画像再生モードとは、静止画像撮影モードにより撮影された静止画像を再生するモードであり、擬似動画再生モードとは、擬似動画再生モードにより撮影された擬似動画を再生するモードである。
【００３５】
まず、制御部７は、撮像装置１の電源がオンの状態で、ユーザーによりモードボタンを用いて擬似動画再生モードが選択されたことを認識する（ステップＳ５０）。次に、制御部７は、記録媒体１２に記録されている各フレームの擬似動画情報及び背景画像の読み込みを行う（ステップＳ５１）。ここで、各フレームの擬似動画情報として、主被写体領域の位置情報（ＸＹ座標）、色情報、時間情報及びフレーム番号を読み込む。なお、この実施の形態においては、擬似動画の最後のフレームのフレーム番号をＮとして説明を行う。
【００３６】
次に、制御部７は、ステップＳ５１において読み込んだ背景画像を表示部８に表示する（ステップＳ５２）。次に、制御部７は、カウンターｎを０にリセットし（ステップＳ５３）、カウンターｎに１を加え（ステップＳ５４）、表示部８に、フレーム番号がｎの主被写体領域に基づく主被写体画像を背景画像の前面に重畳させて表示する（ステップＳ５５）。次に、制御部７は、カウンターｎが最後のフレームのフレーム番号Ｎであるか否かを判別し（ステップＳ５６）、ｎ＝Ｎでない場合には、ステップＳ５４に戻り、ステップＳ５４〜Ｓ５６の処理を繰り返す。即ち、フレーム番号１，２，３…Ｎの順に各フレーム番号の主被写体画像を表示する。ここで、ステップＳ５５においては、フレーム番号（ｎ−１）及びｎの時間情報からフレーム番号（ｎ−１）の撮像時間とフレーム番号ｎの撮像時間の時間間隔を算出し、算出した時間間隔でフレーム番号（ｎ−１）の主被写体画像及びフレーム番号ｎの主被写体画像を順次表示する。即ち、撮像時の時間間隔で主被写体画像を順次表示する。
【００３７】
この実施の形態に係る撮像装置によれば、背景画像及び各フレームの主被写体領域に関する画像データを記録し、これらを用いて擬似動画を表示することができるため、従来の動画撮影のようにフレーム毎の全体画像をすべて記録する必要がなく、動画用の画像データの記録容量を節減することができる。したがって、従来の撮像装置と比較して、同じ記録容量を有する記録媒体に多くの静止画用や動画用の画像データを記録することができる。
【００３８】
なお、この実施の形態においては、１フレームと１つ前のフレームの全体画像のコントラス値を比較することにより撮像装置１の動きを検出しているが、１フレームと１つ前のフレームの所定領域の画像のコントラスト値を比較することにより撮像装置１の動きを検出する構成にすることもできる。例えば、山や建物など移動することのない背景となる画像の領域を所定領域に設定するとよい。
【００３９】
また、この実施の形態においては、１フレームと１つ前のフレームの全体画像のコントラスト値を比較することにより撮像装置１の動きを検出しているが、撮像装置１に加速度センサ等の動き検出部を備え、動き検出部の検出結果から撮像装置１の動きを検出することもできる。図１５は、動き検出部を用いて撮像装置１の動きを検出する処理について説明するためのフローチャートである。制御部７は、擬似動画撮影モードにおいて擬似動画が撮影されている間、即ちレリーズボタンが半押しされている間、動き検出部により検出される撮像装置１の動きを取得する（ステップＳ６０）。次に、制御部７は、ステップＳ６０において取得した撮像装置１の動きが所定値以上であるか否かを判別する（ステップＳ６１）。例えば、動き検出部により検出される撮像装置１の加速度や速度の閾値を予め設定し、設定された閾値を超えているか否かを判別する。撮像装置１の動きが所定値以上でないと判別された場合には（ステップＳ６１：Ｎｏ）、制御部７は、ステップＳ６０に戻り、擬似動画の撮影が終了するまで、即ちレリーズボタンが全押しされるまで、ステップＳ６０及びＳ６１の処理を繰り返す。一方、撮像装置１の動きが所定値以上であると判別された場合には（ステップＳ６１：Ｙｅｓ）、制御部７は、撮像装置１が動いていると判断し、擬似動画情報の生成を中止する（ステップＳ６２）。即ち、制御部７は、現在行われている擬似動画の撮影を中止し、撮影を中止した擬似動画に関する中止前に記録媒体１２に記録された擬似動画情報を削除する（ステップＳ６３）。
【００４０】
また、この実施の形態においては、最後のフレームの画像データから背景画像を生成しているが、他のフレームの画像データから背景画像を生成することもできる。
【００４１】
また、この実施の形態においては、擬似動画の撮影の開始時にレリーズボタンを半押しし、擬似動画の撮影の終了時にレリーズボタンを全押ししているが、擬似動画の撮影の開始時及び終了時にレリーズボタンを全押しする構成にすることもできる。
【００４２】
また、この実施の形態においては、１つの主被写体領域を抽出しているが、２つ以上の主被写体領域を抽出し、各主被写体領域について擬似動画情報を生成して記録するようにしてもよい。
【図面の簡単な説明】
【００４３】
【図１】実施の形態に係る撮像装置のシステム構成を示すブロック図である。
【図２】実施の形態に係る撮像装置における擬似動画撮影時の処理について説明するためのフローチャートである。
【図３】最初のフレームの擬似動画情報を生成し、記録する処理について説明するためのフローチャートである。
【図４】レリーズボタンが半押しされたときのフレームの画像を示す図である。
【図５】レリーズボタンが半押しされたときのフレームの画像の主被写体領域を示す図である。
【図６】所定時間経過後のフレームの擬似動画情報を生成し、記録する処理について説明するためのフローチャートである。
【図７】所定時間経過後のフレームの画像を示す図である。
【図８】所定時間経過後のフレームの画像の主被写体領域を示す図である。
【図９】所定時間経過後のフレームの主被写体領域と１つ前のフレームの主被写体領域との比較について説明するための図である。
【図１０】所定時間前のフレームの画像を示す図である。
【図１１】背景画像を生成し、記録する処理について説明するためのフローチャートである。
【図１２】最後のフレームの画像を示す図である。
【図１３】背景画像を示す図である。
【図１４】実施の形態に係る撮像装置における擬似動画再生時の処理について説明するためのフローチャートである。
【図１５】動き検出部を用いて撮像装置の動きを検出する処理について説明するためのフローチャートである。
【符号の説明】
【００４４】
１…撮像装置、２…撮像レンズ、３…撮像素子、４…Ａ／Ｄ変換部、５…画像処理部、６…バッファメモリ、７…制御部、８…表示部、１０…操作部、１１…コントラスト検出部、１２…記録媒体、１３…バス。
【図１】
2010081131.tif 000003
【図２】
2010081131.tif 000004
【図３】
2010081131.tif 000005
【図４】
2010081131.tif 000006
【図５】
2010081131.tif 000007
【図６】
2010081131.tif 000008
【図７】
2010081131.tif 000009
【図８】
2010081131.tif 000010
【図９】
2010081131.tif 000011
【図１０】
2010081131.tif 000012
【図１１】
2010081131.tif 000013
【図１２】
2010081131.tif 000014
【図１３】
2010081131.tif 000015
【図１４】
2010081131.tif 000016
【図１５】
2010081131.tif 000017